(57)【要約】【課題】  貯蔵物が目視し易い引き出しドア、およびこれを備える冷蔵庫、冷凍庫を提供する。【解決手段】  本発明に関わる引き出しドア３ａ、４ａ、５ａは、冷蔵庫１または冷凍庫に備えられ、冷蔵または冷凍される貯蔵物を収納する収納容器３ｂ、４ｂ、５ｂとともに庫外に引き出され、手前側下縁角部に、奧向き斜め下方の方向に沿って切り欠いた形状に形成される切り欠き部３ｋ、４ｋ、５ｋを有している。本発明に関わる冷蔵庫１は、引き出しドア３ａ、４ａ、５ａを備えている。本発明に関わる冷凍庫は、引き出しドア３ａ、４ａ、５ａを備えている。【選択図】  図１
2013238360.tif 000002
【特許請求の範囲】
【請求項１】
冷蔵庫または冷凍庫に備えられ、
冷蔵または冷凍される貯蔵物を収納する収納容器とともに庫外に引き出され、
手前側下縁角部に、奧向き斜め下方の方向に沿って凹んだ形状に形成される凹部を有する
ことを特徴とする引き出しドア。
【請求項２】
請求項１に記載の引き出しドアにおいて、
前記凹部は、奥向き斜め下方の方向に沿って傾斜する斜面が形成される
ことを特徴とする引き出しドア。
【請求項３】
請求項１に記載の引き出しドアにおいて、
前記凹部は、曲率をもって凹んだ形状に形成される
ことを特徴とする引き出しドア。
【請求項４】
請求項１から請求項３のうちの何れか一項に記載の引き出しドアにおいて、
前記引き出しドアの上端縁に、当該引き出しドアの庫外への引き出し動作や庫内への収納動作の際にユーザに把持される下方に向けて凹んだ形状の把手部が形成される
ことを特徴とする引き出しドア。
【請求項５】
請求項４に記載の引き出しドアにおいて、
前記把手部は、前記引き出しドアの前面視で、前記引き出しドアの上端縁の左右何れかまたは左右両方の側端縁に連続して形成され外方に開放される形状である
ことを特徴とする引き出しドア。
【請求項６】
請求項１から請求項５のうちの何れか一項に記載の引き出しドアを備える
ことを特徴とする冷蔵庫。
【請求項７】
請求項６に記載の冷蔵庫において、
前記引き出しドアは、複数有り、
前記引き出しドアの凹部は、
該引き出しドアより下方の前記引き出しドアの凹部より、鉛直下方向に対して大きな角度の方向に沿って凹んだ形状、または、直下の引き出しドアを開放した場合にその収納容器により水平方向に視線が入る形状に形成される
ことを特徴とする冷蔵庫。
【請求項８】
請求項６に記載の冷蔵庫において、
最下方の前記引き出しドアの凹部の直下にあって貯蔵物を収納する収納容器とともに庫外に引き出される下引き出しドアの上端縁に、当該下引き出しドアの庫外への引き出し動作や庫内への収納動作の際にユーザに把持される下方に向けて凹んだ形状の把手部が形成される
ことを特徴とする冷蔵庫。
【請求項９】
請求項８に記載の冷蔵庫において、
前記下引き出しドアの把手部は、前記下引き出しドアの前面視で、前記下引き出しドアの上端縁の左右何れかまたは左右両方の側端縁に連続して形成され外方に開放される形状である
ことを特徴とする冷蔵庫。
【請求項１０】
請求項１から請求項５のうちの何れか一項に記載の引き出しドアを備える
ことを特徴とする冷凍庫。
【請求項１１】
請求項１０に記載の冷凍庫において、
前記引き出しドアは、複数有り、
前記引き出しドアの凹部は、
該引き出しドアより下方の前記引き出しドアの凹部より、鉛直下方向に対して大きな角度の方向に沿って凹んだ形状、または、直下の引き出しドアを開放した場合にその収納容器により水平方向に視線が入る形状に形成される
ことを特徴とする冷凍庫。
【発明の詳細な説明】
【技術分野】
【０００１】
本発明は、冷蔵または冷凍される貯蔵物を収容する収容容器とともに引き出される引き出しドア、およびこれを備える冷蔵庫、冷凍庫に関する。
【背景技術】
【０００２】
図１２に、従来の冷蔵庫を斜め上前方から目視した斜視図を示す。
冷蔵庫１０１は、上から下へ、冷蔵室１０２、製氷・上段冷凍室１０３，１０４、下段冷凍室１０５、野菜室１０６が配設されている。
冷蔵室１０２の扉１０２ａ、１０２ｂは、観音開きドアである。
【０００３】
一方、製氷・上段冷凍室１０３，１０４、下段冷凍室１０５、野菜室１０６は、それぞれ扉１０３ａ，１０４ａ、１０５ａ、１０６ａとともに、食品などの貯蔵物を収容する容器１０３ｙ，１０４ｙ、１０５ｙ、１０６ｙ(図１２参照)がそれぞれ引き出される引き出し式のドアである。
【０００４】
引き出し式の製氷・上段冷凍室１０３，１０４は、それぞれの扉１０３ａ，１０４ａにユーザが引き出し時に把持するための把手１０３ｔ，１０４ｔが形成される。また、下段冷凍室１０５、野菜室１０６のそれぞれの扉１０５ａ、１０６ａには、ユーザが引き出し時に把持するためのハンドル１０５ｈ、１０６ｈが設けられている。
【０００５】
図１３に、従来の冷蔵庫で、ユーザが扉を手前に引いて開け、野菜室の容器内を目視している状態の図１１のＥ−Ｅ線断面図を示す。ユーザが、野菜室１０６に野菜を入れたり、野菜室１０６内の野菜を取り出す場合、野菜室扉１０６ａのハンドル１０６ｈを把持して手前に引く。すると、図１２に示すように、野菜室１０６の扉１０６ａとともに、容器１０６ｙが手前に引き出される。
なお、本願に係わる文献公知発明として、特許文献１がある。
【先行技術文献】
【特許文献】
【０００６】
【特許文献１】特開２００２−２６７３４２号公報
【発明の概要】
【発明が解決しようとする課題】
【０００７】
ところで、図１３に示すように、野菜室１０６を開放した場合、野菜室１０６の直上の下段冷凍室１０５の扉１０５ａの下縁部１０５ａ１に、ユーザｙの視線ｙ１が遮られ、内部を充分に目視できないという不都合がある。
【０００８】
また、野菜室１０６の扉１０６ａのハンドル１０６ｈや、下段冷凍室１０５の扉１０５ａのハンドル１０５ｈは、ユーザｙに対して下方に位置するため、ユーザｙは腰を屈めてハンドル１０６ｈやハンドル１０５ｈを把持しなければ、野菜室１０６、下段冷凍室１０５を開放することはできない。
【０００９】
さらに、ハンドル１０５ｈ、１０６ｈは、略コの字状であり、ゴミがハンドル１０５ｈ、１０６ｈの裏側に付着し易い。また、ハンドル１０５ｈ、１０６ｈの裏側に凹部が形成されるため、ハンドル１０５ｈ、１０６ｈに付着した汚れを、素早く、容易に拭いとれるとは言い難い。
【００１０】
本発明は上記実状に鑑み、貯蔵物が目視し易い引き出しドア、およびこれを備える冷蔵庫、冷凍庫の提供を目的とする。
【課題を解決するための手段】
【００１１】
上記目的を達成すべく、第１の本発明に関わる引き出しドアは、冷蔵庫または冷凍庫に備えられ、冷蔵または冷凍される貯蔵物を収納する収納容器とともに庫外に引き出され、手前側下縁角部に、奧向き斜め下方の方向に沿って切り欠いた形状に形成される切り欠き部を有している。
【００１２】
第２の本発明に関わる冷蔵庫は、第１の本発明の引き出しドアを備えている。
【００１３】
第３の本発明に関わる冷凍庫は、第１の本発明の引き出しドアを備えている
【発明の効果】
【００１４】
本発明によれば、貯蔵物が目視し易い引き出しドア、およびこれを備える冷蔵庫、冷凍庫を実現できる。
【図面の簡単な説明】
【００１５】
【図１】本発明に関わる実施形態の冷蔵庫を示す斜視図である。
【図２】冷蔵庫の野菜室の扉を開放するとともに製氷室を少し開放した状態を示す斜視図である。
【図３】冷蔵庫の下段冷凍室の扉を開放した状態を示す斜視図である。
【図４】(ａ)は冷蔵庫の庫外に引き出した下段冷凍室扉を示す斜視図であり、(ｂ)は(ａ)のＡ−Ａ線断面拡大図である。
【図５】ユーザが野菜室扉を庫外に引き出し、収納容器を目視している状態を示す冷蔵庫の側断面図である。
【図６】(ａ)は製氷室扉の把手部を示す図２のＢ−Ｂ線断面拡大図であり、(ｂ)は上段冷凍室扉の把手部を示す図１のＣ−Ｃ線断面拡大図である。
【図７】(ａ)は変形例１の冷蔵庫の野菜室扉をユーザが開放して野菜室の収納容器内を目視している状態を示す側断面図であり、(ｂ)は変形例１の冷蔵庫の下段冷凍室扉をユーザが開放して下段冷凍室の収納容器内を目視している状態を示す側断面図である。
【図８】(ａ)は変形例２の下段冷凍室扉の野菜室目視用凹部を示す下段冷凍室扉を示す斜視図であり、(ｂ)は(ａ)のＤ−Ｄ線断面拡大図である。
【図９】変形例３の下段冷凍室扉の把手部を示す斜視図である。
【図１０】変形例４の下段冷凍室扉の把手部を示す斜視図である。
【図１１】実施形態２の冷蔵室扉の把持部と上段冷凍室扉の把手部を示す断面拡大図である。
【図１２】従来の冷蔵庫を斜め上前方から目視した斜視図である。
【図１３】従来の冷蔵庫でユーザが野菜室扉を手前に引いて開け、野菜室の容器内を目視している状態の図１１のＥ−Ｅ線断面図である。
【発明を実施するための形態】
【００１６】
＜実施形態１＞
以下、本発明の実施形態について添付図面を参照して説明する。図１は、本発明に関わる実施形態の冷蔵庫を示す斜視図である。
【００１７】
実施形態１の冷蔵庫１は、その冷蔵庫本体１Ｈに、上方から、冷蔵室２、製氷室３および上段冷凍室４、下段冷凍室５、および野菜室６が画設されている。なお、製氷室３と上段冷凍室４は左右に並設され、冷蔵室２と下段冷凍室５との間に配置されている。
【００１８】
冷蔵室２及び野菜室６は、約３〜５℃の冷蔵温度帯の貯蔵室である。一方、製氷室３，上段冷凍室４及び下段冷凍室５は、約−１８℃の冷凍温度帯の貯蔵室である。冷蔵室２は、前方側に左右に分割された観音開き（いわゆるフレンチ型）の冷蔵室扉２ａ，２ｂを備えている。
【００１９】
冷蔵室扉２ａ，２ｂの冷蔵室２の内側には、複数の扉ポケット２ｐ(図５参照)が備えられている。また、冷蔵室２は複数の棚２ｔ(図５参照)が設けられており、棚２ｔにより、冷蔵室２は縦方向に複数の貯蔵スペースに区画されている。
【００２０】
図２は、冷蔵庫の野菜室の扉を開放するとともに製氷室を少し開放した状態を示す斜視図である。図３は、冷蔵庫の下段冷凍室の扉を開放した状態を示す斜視図である。製氷室３，上段冷凍室４，下段冷凍室５，および野菜室６は、それぞれ引き出し式の製氷室扉３ａ，上段冷凍室扉４ａ，下段冷凍室扉５ａ，および野菜室扉６ａを備えている。製氷室３、上段冷凍室４は、それぞれ収納容器３ｂ、４ｂ(図５参照)が設けられており、それぞれの貯蔵室(３、４)の前方に備えられた扉(３ａ，４ａ)と一体に前後方向に移動して出し入れされる。
【００２１】
同様に、下段冷凍室５、野菜室６は、収納容器５ｂ，６ｂがそれぞれ設けられており、それぞれの貯蔵室の前方に備えられた扉(５ａ、６ａ)と一体に前後方向に移動し出し入れされる。なお、収納容器３ｂ、４ｂ、５ｂ，６ｂは透明または半透明としているが、透明または半透明でなくともよい。
【００２２】
製氷室扉３ａ，上段冷凍室扉４ａの前面上部には、それぞれ各扉(３ａ，４ａ)を庫外の手前側に引き出す際にユーザ(利用者)に把持される把手部３ｔ，４ｔ(図１参照)が設けられている。
【００２３】
下段冷凍室扉５ａ，野菜室扉６ａの上端縁５ａ１、６ａ１には、それぞれ各扉(５ａ、６ａ)を庫外の手前側に引き出す際にユーザに把持される(指がかけられる) 把手部５ｔ，６ｔが下方に向けて凹形状を有して設けられている。
【００２４】
また、下段冷凍室扉５ａ及び野菜室扉６ａの前面には、それぞれを自動的に開放する場合に押下される自動開放釦５ｊ、６ｊが配設されている。製氷室３の手前側下縁角部には、曲率を有した凹状の下段冷凍室目視用凹部３ｋが奧向き斜め下方の方向に沿って凹んだ形状に形成されている。同様に、上段冷凍室扉４ａの手前側下縁角部には、曲率を有した凹状の下段冷凍室目視用凹部４ｋが奧向き斜め下方の方向に沿って凹んだ形状に形成されている。同様に、下段冷凍室扉５ａの手前側下縁角部には、曲率を有した凹状の野菜室目視用凹部５ｋが奧向き斜め下方の方向に沿って凹んだ形状に形成されている。
【００２５】
ユーザが、製氷室扉３ａ，上段冷凍室扉４ａ，下段冷凍室扉５ａ及び野菜室扉６ａのそれぞれの把手部３ｔ，４ｔ、５ｔ，６ｔを把持して(に指をかけて)手前側に引き出すことにより、図２、図３に示すように、扉(３ａ，４ａ，５ａ，６ａ)とともに製氷室３、上段冷凍室４、下段冷凍室５及び野菜室６の各収納容器３ｂ，４ｂ、５ｂ，６ｂが、手前側に引き出される。
【００２６】
また、各扉(２ａ，２ｂ，３ａ，４ａ，５ａ，６ａ)における貯蔵室(２、３、４、５、６)側の面には、各扉の外縁に沿った態様でシール部材（図示せず）が設けられ、各扉の閉鎖時、貯蔵室内への温かい外気の侵入、及び貯蔵室からの冷気の漏出を抑制している。
【００２７】
冷蔵庫本体１Ｈは、各貯蔵室(２、３、４、５、６)に設けた扉(２ａ，２ｂ，３ａ，４ａ，５ａ，６ａ)の開閉状態をそれぞれ検知する扉センサ（図示せず）と、各扉が開放していると判定された状態が所定時間、例えば１分間以上継続された場合、ユーザに警告音で報知するアラーム（図示せず）とを備えている。
【００２８】
図１に示すように、冷蔵庫本体１Ｈの庫内と庫外とは、冷蔵庫１の外郭を形成する外箱１ａと貯蔵室(２〜６)を形成する内箱との間に発泡断熱材（発泡ポリウレタン）を充填して形成される断熱箱体１０により隔てられている(断熱されている)。断熱箱体１０は、充填される発泡断熱材の他に、複数の断熱性が高い真空断熱材(図示せず)を実装している。各扉(２ａ，２ｂ，３ａ，４ａ，５ａ，６ａ)内には、それぞれ発泡断熱材が充填され、断熱性を確保している。
【００２９】
冷蔵庫本体１Ｈは、冷蔵温度帯の冷蔵室２と、冷凍温度帯の上段冷凍室４及び製氷室３とが、上側断熱仕切壁(図示せず)により断熱的に仕切られている。また、冷凍温度帯の下段冷凍室５と冷蔵温度帯の野菜室６とが、下側断熱仕切壁(図示せず)により、断熱的に仕切られている。冷蔵庫１は、貯蔵室(２、３、４、５、６)を冷却するために、不図示の冷凍サイクル(冷却手段)を具備している。
【００３０】
図４(ａ)は、冷蔵庫の庫外に引き出した下段冷凍室扉を示す斜視図であり、図４(ｂ)は、図４(ａ)のＡ−Ａ線断面拡大図である。ユーザが把手部５ｔを把持して(に指をかけて)手前に引き出すことで、下段冷凍室扉５ａは、収納容器５ｂとともに庫外に引き出される。
【００３１】
下段冷凍室扉５ａの上端縁５ａ１の中央部から一方端にかけて、前記した把手部５ｔが設けられる。把手部５ｔは、横断面凹形状を有し、下段冷凍室扉５ａの上端縁５ａ１の一方端まで連続して形成され側端縁５ａ２が開放される形状を呈している。なお、図４(ａ)に示す把手部５ｔ内の内角部は角状に形成した場合を例示しているが、角部にＲを形成すれば(曲面とすれば)掃除し易いのでより好ましい。
【００３２】
同様に、図２に示すように、野菜室扉６ａの上端縁６ａ１の中央部から一方端にかけて、把部６ｔが設けられる。把手部６ｔは、横断面凹形状を有し、野菜室扉６ａの上端縁６ａ１の一方端まで連続して形成され側端縁６ａ２が開放されている。なお、把手部６ｔ内の内角部は角状の場合を例示しているが、角部にＲを形成すれば(曲面とすれば)掃除し易いのでより好ましい。
【００３３】
一方、下段冷凍室扉５ａの手前側下縁角部には、前記したように、ユーザが野菜室６内を目視し易いように(図２参照)、手前側下縁角部を奧向き斜め下方の方向に沿って凹ませて曲率を有した形状の凹形状の野菜室目視用凹部５ｋが形成されている。野菜室目視用凹部５ｋは、曲率を有した凹んだ形状であれば任意の曲率を選択できる。
【００３４】
図５は、ユーザが野菜室扉を庫外に引き出し、収納容器を目視している状態を示す冷蔵庫の側断面図である。ユーザｙが野菜室６に野菜を入れたり、野菜室６内の野菜を取り出したい場合、野菜室扉６ａの把手部６ｔを把持し(に指をかけて)手前に引き出す。すると、図２、図５に示すように、野菜室扉６ａとともに収納容器６ｂが庫外に引き出される。
そして、ユーザｙが、庫外に引き出された野菜室６の収納容器６ｂを目視する場合、図５に示すように、ユーザｙの視線ｙ１は、下段冷凍室扉５ａの野菜室目視用凹部５ｋで凹状に形成された空間を透視して、収納容器６ｂのより内部まで目視できる。
【００３５】
図６(ａ)は、製氷室扉の把手部を示す図２のＢ−Ｂ線断面拡大図であり、図６(ｂ)は、上段冷凍室扉の把手部を示す図１のＣ−Ｃ線断面拡大図である。図６(ａ)、図２に示すように、製氷室扉３ａの手前下縁部には、下段冷凍室扉５ａの野菜室目視用凹部５ｋと同様に、下段冷凍室５の収納容器５ｂ内を目視し易くするための下段冷凍室目視用凹部３ｋが形成されている。同様に、図６(ｂ)、図１に示すように、上段冷凍室扉４ａの下縁部には、前記したように、下段冷凍室扉５ａの野菜室目視用凹部５ｋと同様に、下段冷凍室５の収納容器５ｂ内を目視し易くするための下段冷凍室目視用凹部４ｋが形成されている。
【００３６】
ユーザｙが下段冷凍室５に食品を入れたり、下段冷凍室５内の食品を取り出したい場合、下段冷凍室５の把手部５ｔを把持し(に指をかけて)手前に引き出す。すると、図３に示すように、下段冷凍室扉５ａとともに収納容器５ｂが庫外に引き出される。
【００３７】
そして、ユーザｙが、庫外に引き出された下段冷凍室５の収納容器５ｂを目視する場合、ユーザｙの視線は、製氷室扉３ａの下段冷凍室目視用凹部３ｋおよび上段冷凍室扉４ａの下段冷凍室目視用凹部４ｋによって凹状に形成された空間を透視して、下段冷凍室５の収納容器５ｂ内を目視できる。
【００３８】
上記構成によれば、製氷室扉３ａの手前下縁部に下段冷凍室目視用凹部３ｋを形成するとともに、上段冷凍室扉４ａの手前下縁部に下段冷凍室目視用凹部４ｋを形成したので、下段冷凍室５の収納容器５ｂ内のより内部をユーザが目視できる。そのため、ユーザｙの収納容器５ｂを目視する視野が拡大し、収納容器５ｂ内の広い領域を視認できる。
【００３９】
同様に、下段冷凍室扉５ａの手前下縁部に野菜室目視用凹部５ｋを形成したので、野菜室６の収納容器６ｂ内のより内部をユーザが目視できる。そのため、ユーザｙの収納容器６ｂを目視する視野が拡大し、収納容器６ｂ内の広い領域を(奥の方まで)視認できる。
【００４０】
また、製氷室扉３ａの手前下縁部に下段冷凍室目視用凹部３ｋを形成するとともに、上段冷凍室扉４ａの手前下縁部に下段冷凍室目視用凹部４ｋを形成したので、下段冷凍室５の上端縁５ａ１(図２参照)に、把手部５ｔを形成できる。そのため、ユーザｙは、従来のハンドル１０５ｈ、１０６ｈ(図１１、図１２参照)に比べ、より上方の位置から把手部５ｔを把持できる(に指をかけられる)ので、腰を屈める量が減り、取り扱いが容易である。
【００４１】
同様に、図２に示すように、下段冷凍室扉５ａの手前下縁部に野菜室目視用凹部５ｋを形成したので、野菜室６の把手部６ｔを野菜室６の上端縁６ａ１に形成できる。そのため、ユーザｙは、従来のハンドル１０６ｈ(図１１、図１２参照)に比べ、より上方の位置から把手部６ｔを把持できる(に指をかけられる)ので、腰を屈める量が減り、取り扱いが容易である。
【００４２】
また、製氷室扉３ａの下段冷凍室目視用凹部３ｋ(図６(ａ)参照)、上段冷凍室扉４ａの下段冷凍室目視用凹部４ｋ(図６(ｂ)参照)を、それぞれ曲率を有した凹形状としている。そのため、図１に示すように、製氷室扉３ａ、上段冷凍室扉４ａと下段冷凍室扉５ａとの間にスペースが形成され、下段冷凍室扉５ａの把手部５ｔに、ユーザｙが手を入れ易く、把持し易い(指をかけ易い)。
【００４３】
同様に、下段冷凍室扉５ａの野菜室目視用凹部５ｋ(図４参照)を、曲率を有した凹形状としている。そのため、下段冷凍室扉５ａと野菜室扉６ａとの間にスペースが形成され、野菜室扉６ａの把手部６ｔに、ユーザｙが手を入れ易く、把持し易い(指をかけ易い)。また、下段冷凍室扉５ａの把手部５ｔ、野菜室扉６ａの把手部６ｔは、従来のハンドル１０５ｈ、１０６ｈ(図１１、図１２参照)ように、冷蔵庫１の前面から手前に、突出しないため、ユーザがぶつかったり、ひっかかたりしない。
【００４４】
さらに、図４(ａ)に示すように、下段冷凍室扉５ａの上端縁５ａ１の把手部５ｔを、下段冷凍室扉５ａの上端縁５ａ１の一方端まで連続して形成し側端縁５ａ２を開放して形成したので、把手部５ｔが汚れた場合、ユーザは、把手部５ｔ内に布きんを押し込み、概ね一拭いでの(容易に)掃除を行うことができる。そのため、掃除性が良好である。
【００４５】
同様に、図２に示すように、下野菜室扉６ａの上端縁６ａ１の把手部６ｔを、上端縁６ａ１の一方端まで連続して形成され側端縁６ａ２を開放して形成したので、ユーザは、野菜室扉６ａの把手部６ｔが汚れた場合、把手部６ｔ内に布きんを押し込み、概ね一拭いでの(容易に)掃除を行うことができる。そのため、掃除性が良好である。以上より、冷蔵庫１の使い勝手が向上する。
【００４６】
＜変形例１＞
図７(ａ)は、変形例１の冷蔵庫の野菜室扉をユーザが開放して野菜室の収納容器内を目視している状態を示す側断面図であり、図７(ｂ)は、変形例１の冷蔵庫の下段冷凍室扉をユーザが開放して下段冷凍室の収納容器内を目視している状態を示す側断面図である。
【００４７】
変形例１の冷蔵庫１１は、図７(ａ)に示すように、下段冷凍室扉１５ａの手前下縁部を切り欠いて奥側下方向に沿って形成する野菜室目視用凹部１５ｋの鉛直方向に対する角度θ１を、ユーザが野菜室１６の収納容器１６ｂ内を目視する視線の角度に合わせて形成している。
【００４８】
同様に、図７(ｂ)に示すように、製氷室扉１３ａの手前下縁部を切り欠いて奥側下方向に沿って形成する下段冷凍室目視用凹部１３ｋの鉛直方向に対する角度θ２と、上段冷凍室扉１４ａの手前下縁部を切り欠いて奥側下方向に沿って形成する下段冷凍室目視用凹部１４ｋの鉛直方向に対する角度θ２とを、ユーザが下段冷凍室１５の収納容器１５ｂを目視する視線の角度に合わせて形成している。
【００４９】
つまり、貯蔵室(１５、１６)の高さに合わせて、製氷室扉１３ａ、上段冷凍室扉１４ａの下段冷凍室目視用凹部１３ｋ、１４ｋの鉛直方向に対する角度θ２と、下段冷凍室扉１５ａの野菜室目視用凹部１５ｋの鉛直方向に対する角度θ１とを設定したものである。
【００５０】
換言すれば、ユーザが野菜室１６の収納容器１６ｂを目視する視線の角度と、ユーザが下段冷凍室１５の収納容器１５ｂを目視する視線の角度とは異なることから、製氷室扉１３ａ、上段冷凍室扉１４ａの下段冷凍室目視用凹部１３ｋ、１４ｋの鉛直方向に対する角度θ２と、下段冷凍室扉１５ａの野菜室目視用凹部１５ｋの鉛直方向に対する角度θ１とを、ユーザの視線の角度に適合させて、異なる角度に設定している。
【００５１】
或いは、製氷室扉１３ａ、上段冷凍室扉１４ａの下段冷凍室目視用凹部１３ｋ、１４ｋは、より下方の下段冷凍室扉１５ａの野菜室目視用凹部１５ｋより、下段冷凍室１５を開放した場合にその収納容器１５に、野菜室１６を開放した場合にその野菜室１６の収納容器１６よりも、水平方向により視線が入る形状に形成される。何故なら、前記したように、下段冷凍室１５が野菜室１６より高い位置に配置されるからである。
【００５２】
これ以外の構成は、実施形態と同様であるから、同様な構成要素には、実施形態の符号を１０番台の符号として示し詳細な説明は省略する。
【００５３】
変形例１によれば、下段冷凍室扉１５ａの野菜室目視用凹部１５ｋの角度θ１と、製氷室扉１３ａ、上段冷凍室扉１４ａの下段冷凍室目視用凹部１３ｋ、１４ｋの角度θ２とを、ユーザの視線の角度に適合させて互いに異なる角度に設定したので、ユーザが野菜室１６の収納容器１６ｂ内の空間と下段冷凍室１５の収納容器１５ｂ内の空間とをより広く、視認することができる。
【００５４】
なお、下段冷凍室扉１５ａの野菜室目視用凹部１５ｋおよび製氷室扉１３ａ、上段冷凍室扉１４ａの下段冷凍室目視用凹部１３ｋ、１４ｋは、任意の曲率を有した凹形状でもよいし、後記する変形例２の図８に示す面取り形状でもよい。
【００５５】
＜変形例２＞
図８(ａ)は、変形例２の下段冷凍室扉の野菜室目視用凹部を示す下段冷凍室扉を示す斜視図であり、図８(ｂ)は、図８(ａ)のＤ−Ｄ線断面拡大図である。
変形例２の冷蔵庫は、下段冷凍室扉２５ａの下縁部に形成される野菜室目視用凹部２５ｋを、下段冷凍室扉２５ａの手前下縁部を面取りして平面状に切り欠いたものである。これ以外の構成は、実施形態と同様であるから、同様な構成要素には、実施形態の符号を２０番台の符号として示し詳細な説明は省略する。
【００５６】
変形例２によっても、ユーザｙが野菜室扉２６ａを手前に引き出し野菜室２６の収納容器２６ｂを目視する場合、図７(ａ)と同様、下段冷凍室扉２５ａの下縁部に形成される野菜室目視用凹部２５ｋによって形成される空間を透視して、野菜室２６の収納容器２６ｂを目視できる。そのため、ユーザｙが野菜室２６の収納容器２６ｂを目視する際の視野が拡大し、冷蔵庫の使い勝手が向上する。
【００５７】
また、下段冷凍室扉２５ａの野菜室目視用凹部２５ｋは、面取り状に形成されるので、製造が容易で製造コストが低減される。なお、製氷室扉３ａの手前下縁部に形成される下段冷凍室目視用凹部３ｋを、図８(ｂ)と同様に、製氷室扉３ａの手前下縁部を面取りして平面状に凹んだ形成としてもよい。
【００５８】
同様に、上段冷凍室扉４ａの手前下縁部に形成される下段冷凍室目視用凹部４ｋを、図８(ｂ)と同様に、上段冷凍室扉の手前下縁部を面取りして平面状に凹ませて形成してもよい。
【００５９】
この場合、ユーザｙが下段冷凍室扉２５ａを手前に引き出し下段冷凍室２５の収納容器２５ｂを目視する場合、製氷室扉３ａの下縁部に形成される面取り状の下段冷凍室目視用凹部３ｋや、上段冷凍室扉４ａの下縁部に形成される下段冷凍室目視用凹部４ｋによって形成される空間を透視して、図７(ｂ)と同様、下段冷凍室２５の収納容器２５ｂ内を目視できる。そのため、実施形態と同様、ユーザｙが下段冷凍室２５の収納容器２５ｂ内を目視する際の視野が拡大し、冷蔵庫の使い勝手が向上する。
【００６０】
また、製氷室扉３ａの下段冷凍室目視用凹部３ｋや、上段冷凍室扉４ａの下段冷凍室目視用凹部４ｋを面取り状に形成すれば、製造が容易で製造コストが低減される。
変形例２の構成は、変形例１または後記する変形例３、４にも適用できる。
【００６１】
＜変形例３＞
図９は、変形例３の下段冷凍室扉の把手部を示す斜視図である。
変形例３の下段冷凍室扉３５ａの把手部３５ｔは、下段冷凍室扉３５ａの上端縁３５ａ１の一方端から他方端にかけて横断面凹形状に形成し、上端縁３５ａ１の両側端縁３５ａ２、３５ａ３を開放する形状に形成したものである。その他の構成は、実施形態と同様であるから、実施形態の構成要素の符号を３０番台の符号として示し、詳細な説明は省略する。
【００６２】
変形例３によれば、下段冷凍室扉３５ａの上端縁３５ａ１の一方端から他方端の全域に亘って把手部３５ｔを形成したので、把手部３５ｔが汚れた場合、ユーザが布きんで概ね一拭いでの掃除も可能であり、掃除が容易である。そのため、掃除性が良い。
【００６３】
また、下段冷凍室扉３５ａの上端縁３５ａ１の一方端から他方端の全域に亘って把手部３５ｔが在るので、把手部３５ｔが様々な位置から把持し(指をかけ)易く、下段冷凍室扉３５ａの引き出し、押し込みの操作が容易である。なお、野菜室扉６ａの上端縁６ａ１の把手部６ｔ(図２参照)も、図９の下段冷凍室扉３５ａの把手部３５ｔと同様に構成することが可能であり、同様な作用効果を奏する。
【００６４】
＜変形例４＞
図１０は、変形例４の下段冷凍室扉の把手部を示す斜視図である。
変形例４の下段冷凍室扉４５ａの把手部４５ｔは、下段冷凍室扉４５ａの上端縁４５ａ１の中央部に横断面凹形状に形成したものである。その他の構成は、実施形態と同様であるから、実施形態の構成要素の符号を４０番台の符号として示し、詳細な説明は省略する。
【００６５】
変形例４によれば、把手部４５ｔが下段冷凍室扉４５ａの上端縁４５ａ１の中央部に形成されるため、把手部４５ｔが下段冷凍室扉４５ａ内に占有するスペースが狭小で済み、下段冷凍室扉４５ａ内に断熱材をより多く充填することができる。そのため、下段冷凍室４５の断熱性を向上することが可能である。
【００６６】
＜実施形態２＞
図１０は、実施形態２の冷蔵室扉の把持部と上段冷凍室扉の把手部を示す断面拡大図である。図面上、左に冷蔵室と上段冷凍室が設けられているが、この図面からは省略している。本実施例は、実施形態１と異なり、冷蔵室扉５２ａ、５２ｂの手前側下縁角部の手を挿入するための把手５２ｔの位置を、上方にずらしている。これにより、製氷室や上段冷凍室の貯蔵物を目視し易くしても良い。
【００６７】
また、凹部による把手位置を扉下端よりも上方にずらすと、図１０で示す通り、製氷室や上段冷凍室の扉５３ａ、５４ａ上部にある把手５３ｔ、５４ｔの位置を、冷蔵室扉５２ａ、２ｂを開放する際に、その下端部に接触しない範囲で、上方向に設けることができる。これにより、製氷室や上段冷凍室の扉５３ａ、５４ａの厚さ寸法が小さくなる部分を少なくして断熱特性を向上できる。なお、図１０において、冷蔵室扉５２ａ、５２ｂに適用した実施形態を説明したが、この扉に限るものではない。製氷室扉、上段冷凍室、下段冷凍室の把手に適用してもよい。
【００６８】
これによって、扉下端部の把手を上げて、直下の扉の把手を同様に上げることにより、下の貯蔵室内の視認性と断熱特性を向上できる。なお、上の貯蔵室と下の貯蔵室の温度差が大きい場合、特に上が冷蔵室で下の貯蔵室が冷凍庫室や製氷室の場合は、温度の低い冷凍室内に室内の高い温度の空気との温度差が大きいので、製氷室や上段冷凍室内への熱伝導を抑制し、電力消費量を少なくして省エネルギーに寄与することができる。一般的に冷蔵室の温度は冷凍室の温度よりも２０℃位高いため、冷蔵室扉の下端部の厚さ寸法が小さくなる部分が増えても、冷凍室ドアの厚さ寸法が小さくなる場合よりも熱伝導による影響は相対的に小さい。
【００６９】
＜その他の実施形態＞
なお、前記実施形態、変形形態において、冷蔵室扉２ａ（１２ａ）、２ｂ（１２ｂ）の手前側下縁角部には、製氷室扉３ａ（１３ａ）、上段冷凍庫室扉４ａ（１４ａ）、下段冷凍室扉５ａ（１５ａ、２５ａ、３５ａ、４５ａ）の手前側下縁角部に設けられた凹部３ｋ〜５ｋ（１３ｋ〜１５ｋ、２５ｋ、３５ｋ、４５ｋ）のような凹んだ形状を設けていないが、設ける構成としてもよい。その場合、図５や図７で図示している冷蔵室扉２ａ（１２ａ）、２ｂ（１２ｂ）の下端部にある手を挿入するための凹部による把手は、表面にハンドルを設けることで代替してもよいし、また、表面に自動開放釦を設けることで代替してもよい。
【００７０】
なお、前記実施形態１と２、変形例では、凹部３ｋ〜４５ｋを任意の曲率または斜面を有して形成する場合を例示したが、凹部３ｋ〜４５ｋは、平面と任意の曲率を有した形状などでもよく、奥向き斜め下方の方向に沿って凹んだ形状に形成されれば、その形状は特に限定されない。また、凹部と表現したが、窪み部や切欠き部等の表現であってもよい。なお、前記実施形態、変形形態１〜４では、様々な構成を述べたが、説明した構成を適宜、組み合わせて構成してもよい。これにより、組み合わせた作用効果を奏する。
また、前記実施形態では、冷蔵室、冷凍室、野菜室がある冷蔵庫１を例示して説明したが、扉とともに収納容器が引き出される引き出し式の扉を有すれば、冷蔵室のみの冷蔵庫でもよい。
なお、扉とともに収納容器が引き出される引き出し式の扉をもつ冷凍室から成る冷凍庫にも、本発明は、有効に適用可能である。冷凍庫に適用すれば、引き出しドアを有する冷凍庫の取り扱い性が向上する。
【００７１】
以上、本発明の種々の実施形態を述べたが、その説明は典型的であることを意図している。従って、本発明の範囲内で様々な修正と変更が可能である。すなわち、本発明は発明の趣旨を変更しない範囲において適宜、任意に変更可能である。
【符号の説明】
【００７２】
１      冷蔵庫
３ａ    製氷室扉(引き出しドア)
３ｂ、４ｂ、５ｂ、６ｂ  収納容器
３ｋ、４ｋ、５ｋ  凹部(切り欠き部)
３ｔ、４ｔ、５ｔ、６ｔ  把手部
４      上段冷凍室(貯蔵室)
４ａ    上段冷凍室扉(引き出しドア)
５ａ    下段冷凍室扉(引き出しドア)
５ａ１  上端縁
５ａ２  側端縁
６ａ    野菜室扉(下引き出しドア)
６ａ１  上端縁
６ａ２  側端縁
５ｔ、２５ｔ  凹部(引き出しドアの上端縁の左右何れかの側端縁に連続して形成され外方に開放される形状の凹部)
３５ｔ  凹部(引き出しドアの上端縁の左右両方の側端縁に連続して形成され外方に開放される形状の凹部部)
【図１】
2013238360.tif 000003
【図２】
2013238360.tif 000004
【図３】
2013238360.tif 000005
【図４】
2013238360.tif 000006
【図５】
2013238360.tif 000007
【図６】
2013238360.tif 000008
【図７】
2013238360.tif 000009
【図８】
2013238360.tif 000010
【図９】
2013238360.tif 000011
【図１０】
2013238360.tif 000012
【図１１】
2013238360.tif 000013
【図１２】
2013238360.tif 000014
【図１３】
2013238360.tif 000015